(57)【要約】【課題】ドット妨害成分を確実に除去すると同時に、意図しない補正によるボケを生じないよう、輝度信号を補正する。【解決手段】水平妨害検出回路１６０および垂直妨害検出回路１７０は、現フィールドの輝度信号と前々フィールドの輝度信号との差分値の符号が変化する画素を指定する判定対象区間を特定し、判定対象区間における輝度信号の変動がドット妨害成分であるかを判定する。妨害補正回路１５０は、上記変動がドット妨害成分であると判定されたとき、判定対象区間における現フィールドの輝度信号を、前々フィールドの輝度信号との平均値に置き換えるので、意図しない補正によるボケを生じることなく、ドット妨害成分を確実に除去できる。【選択図】図１
2008294773.tif 000002
【特許請求の範囲】
【請求項１】
第１フィールドに含まれる第１輝度信号と、該第１フィールドより所定フィールド前または後の第２フィールドに含まれる第２輝度信号とを参照し、上記第１輝度信号と上記第２輝度信号との差分値の符号が変化する画素を始点とする判定対象区間を特定する特定手段と、
上記判定対象区間における上記第１輝度信号の変動が、ドット妨害成分であるかを判定する判定手段と、
上記変動がドット妨害成分であると判定されたとき、上記判定対象区間における上記第１輝度信号を、上記第１輝度信号と上記第２輝度信号との平均値に置き換える補正手段と、を備えている、
ことを特徴とする輝度信号補正装置。
【請求項２】
上記判定手段は、
上記第１輝度信号または上記第２輝度信号の変動の大きさが、予め定められた閾値以上であるとき、上記第１輝度信号の変動がドット妨害成分であると判定する、
ことを特徴とする請求項１に記載の輝度信号補正装置。
【請求項３】
上記判定手段は、
上記第１輝度信号または上記第２輝度信号の変動周期が、予め定められたドット妨害成分の変動周期に略一致するとき、上記第１輝度信号の変動がドット妨害成分であると判定する、
ことを特徴とする請求項１に記載の輝度信号補正装置。
【請求項４】
上記判定手段は、
上記第１輝度信号の変動が上記第２輝度信号の変動と逆位相の変動であるとき、上記第１輝度信号の変動がドット妨害成分であると判定する、
ことを特徴とする請求項１に記載の輝度信号補正装置。
【請求項５】
上記判定手段は、
第１の判定対象区間における上記第１輝度信号または上記第２輝度信号の変動の大きさが、第２の判定対象区間における上記第１輝度信号または上記第２輝度信号の変動の大きさと略一致するとき、上記第１輝度信号の変動がドット妨害成分であると判定する、
ことを特徴とする請求項１に記載の輝度信号補正装置。
【請求項６】
当該輝度信号補正装置は、コンポジット映像信号をＹＣ分離して得られたコンポーネント映像信号における輝度信号を補正するものであり、
上記第１フィールドと上記第２フィールドとは、上記コンポジット映像信号において、多重される色副搬送波の位相が互いに１８０°異なるフィールドである、
ことを特徴とする請求項１から５のうち何れか１項に記載の輝度信号補正装置。
【請求項７】
第１フィールドに含まれる第１輝度信号と、該第１フィールドより所定フィールド前または後の第２フィールドに含まれる第２輝度信号とを参照し、上記第１輝度信号と上記第２輝度信号との差分値の符号が変化する画素を始点とする判定対象区間を特定する特定工程と、
上記判定対象区間における上記第１輝度信号の変動が、ドット妨害成分であるかを判定する判定工程と、
上記変動がドット妨害成分であると判定されたとき、上記判定対象区間における上記第１輝度信号を、上記第１輝度信号と上記第２輝度信号との平均値に置き換える補正工程と、を含んでいる、
ことを特徴とする輝度信号補正方法。
【請求項８】
コンピュータを請求項１から６のうち何れか１項に記載の輝度信号補正装置として動作させるためのプログラムであって、
上記コンピュータを、上記輝度信号補正装置に備えられている各手段として機能させるための輝度信号補正プログラム。
【請求項９】
請求項８に記載の輝度信号補正プログラムを記録しているコンピュータ読み取り可能な記録媒体。
【請求項１０】
請求項１から６のうち何れか１項に記載の輝度信号補正装置を備えた、コンポーネント映像信号を処理する映像信号処理装置であって、
上記コンポーネント信号に含まれる輝度信号を、上記輝度信号補正装置により補正する、
ことを特徴とする映像信号処理装置。
【発明の詳細な説明】
【技術分野】
【０００１】
本発明は、輝度信号からドット妨害成分を除去する輝度信号補正装置、輝度信号補正方法、輝度信号補正プログラムに関する。また、そのような輝度信号補正装置を備えた映像信号処理装置、および、そのような輝度信号補正プログラムを記録しているコンピュータ読み取り可能な記録媒体に関する。
【背景技術】
【０００２】
映像信号は、輝度信号に色信号が多重されたコンポジット映像信号と、輝度信号と色信号とが分離されたコンポーネント映像信号とに大別される。コンポジット映像信号をＹＣ分離することにより、コンポーネント映像信号が得られる。しかし、ＹＣ分離の精度が悪いと、得られたコンポーネント信号において、輝度信号に色信号成分が混入し、ドット妨害を生じることが知られている。
【０００３】
デジタル放送の開始などを契機に、近年、コンポーネント信号を処理する映像信号処理装置が普及している。コンポーネント映像信号であるハイビジョン（ＨＤ）映像信号を表示するテレビジョン受像機などの映像表示装置や、ＨＤ映像信号をハードディスクやＤＶＤなどの記録媒体に記録する映像記録装置などはその一例である。
【０００４】
これら、コンポーネント信号を処理する映像信号処理装置自体が、ドット妨害を発生させることはない。しかし、入力されたコンポーネント映像信号自体にドット妨害成分が含まれている場合、これらの映像信号処理装置が出力する映像にもドット妨害が現れる。
【０００５】
例えば、放送局においてデジタル放送用のＨＤ映像コンテンツを作成する際、その素材としては、スタンダード（ＳＤ）映像信号で記録されたコンテンツがしばしば利用される。このＳＤ映像信号がコンポジット映像信号であった場合、ＳＤ映像信号からＨＤ映像信号へのアップコンバート時にＹＣ分離が精度良く行なわれないと、結果として、放送局から配信されるＨＤ映像信号自体にドット妨害が含まれることになる。このため、ＨＤ映像信号を表示する表示装置においても、表示される映像にドット妨害が現れ得る。
【０００６】
このようなドット妨害を低減するための技術としては、特許文献１に記載の映像信号処理装置が知られている。特許文献１に記載の映像信号処理装置においては、以下のようにして、ドット妨害を低減している。
【０００７】
まず、ＬＰＦ（ローパスフィルタ）を通した輝度信号Ｙ０と、ＬＰＦを通した１フレーム遅延輝度信号Ｙ０１とに基づいて、動き検出回路にて動き検出信号を作る。そして、上記動き検出信号に基づいて、輝度信号Ｙ０をそのまま出力するか、輝度信号Ｙ０と１フレーム遅延輝度信号Ｙ０１との平均値Ｙ３を出力するかを切り替える。輝度信号Ｙ０と１フレーム遅延輝度信号Ｙ０１とを平均することにより、出力される平均値Ｙ３におけるドット妨害成分が除去される。これは、ＮＴＳＣ信号を３次元ＹＣ分離した場合、現フレームと前フレームとでは、ドット妨害成分（輝度信号に漏れ出した色信号成分）の位相が、１８０°異なるためである。
【特許文献１】特開２００５−１７６１６２号公報（公開日：２００５年６月３０日）
【発明の開示】
【発明が解決しようとする課題】
【０００８】
上記従来の映像信号処理装置においては、動き検出回路にて動きがないと判断された静止部分に対して、輝度信号の補正（１フレーム遅延輝度信号との平均値への置き換え）が行われる。しかしながら、上記従来の構成では、実際には動きのある部分も静止部分と誤判断されてしまい、意図しない輝度信号の補正が行われてしまうという問題があった。このため、出力される映像が非常にぼやけたものになってしまっていた。
【０００９】
上記問題について、以下、もう少し詳しく説明する。
【００１０】
地上デジタル放送やＢＳデジタル放送により配信されたコンポーネント信号の輝度波形を実際に測定してみると、そこに含まれるドット妨害成分の振幅は、８ｂｉｔ深度の輝度値（０〜２５５）で１００程度に達することがある。すなわち、除去すべきドット妨害成分の振幅は大きく、輝度値の全変動範囲の約４０％に相当する。
【００１１】
また、ＮＴＳＣ信号をアップコンバートすることにより得られたＨＤ映像信号では、水平方向のドット妨害成分の周期は、原理的に約７．７１画素になる。すなわち、除去すべきドット妨害成分の周期も大きく、表現し得る最小の周期（２画素）の３．８倍に相当する。
【００１２】
特許文献１に記載の映像信号処理装置によりドット妨害を除去するためには、ドット妨害が発生している部分が、動き検出回路にて静止部分と判断される必要がある。ところが、上記のとおり、除去すべきドット妨害成分の振幅および周期が大きいので、動き検出回路にドット妨害が発生している部分を静止部分と判定させるためには、輝度信号を強いＬＰＦに通し、動き検出回路に入力される輝度信号の帯域を非常に低く制限する必要が生じる。
【００１３】
動き検出回路に入力される輝度信号を強いＬＰＦに通すと、実際には動きのある部分も動き検出回路にて静止部分と判断されやすくなる。したがって、本来動きのある部分に対しても意図しない補正が行われてしまい、その部分の映像が破綻する。
【００１４】
本発明は、上記の課題に鑑みてなされたものであり、その目的は、輝度信号からドット妨害成分を確実に除去すると同時に、意図しない補正によるボケを生じることのない輝度信号補正装置、輝度信号補正方法、および、輝度信号補正プログラム、ならびに、そのような輝度信号補正装置を備え、出力される映像がぼやけることのない映像処理装置を実現することにある。
【課題を解決するための手段】
【００１５】
上記課題を解決するために、本発明に係る輝度信号補正装置は、第１フィールドに含まれる第１輝度信号と、該第１フィールドより所定フィールド前または後の第２フィールドに含まれる第２輝度信号とを参照し、上記第１輝度信号と上記第２輝度信号との差分値の符号が変化する画素を始点とする判定対象区間を特定する特定手段と、上記判定対象区間における上記第１輝度信号の変動が、ドット妨害成分であるかを判定する判定手段と、上記変動がドット妨害成分であると判定されたとき、上記判定対象区間における上記第１輝度信号を、上記第１輝度信号と上記第２輝度信号との平均値に置き換える補正手段と、を備えている、ことを特徴としている。
【００１６】
上記第１輝度信号と上記第２輝度信号とに互いに逆位相のドット妨害成分が含まれている場合、上記第１輝度信号と上記第２輝度信号との差分値の符号が変化する画素が、ドット妨害成分の半周期に相当する間隔で現れる。
【００１７】
このため、上記の構成によれば、上記特定手段は、上記第１輝度信号に含まれるドット妨害成分の半周期に対応する区間を、上記判定対象区間として特定することができ、また、上記判定手段は、上記判定対象区間における上記第１輝度信号の変動がドット妨害成分であるかを判定することができる。
【００１８】
そして、上記第１輝度信号の変動がドット妨害成分であると判定された場合、上記判定対象区間における上記第１輝度信号が、上記第１輝度信号と上記第２輝度信号との平均値に置き換えられる。このため、ドット妨害が発生している区間に対して、ドット妨害を除去する補正を実行することができ、また、そうでない区間に対して、意図しない補正の実行を避けることができる。すなわち、意図しない補正によるボケを生じることなく、輝度信号からドット妨害成分を確実に除去するという効果を奏する。
【００１９】
なお、上記輝度信号としては、例えば、コンポジット信号をＹＣ分離して得られたコンポーネント信号における輝度信号が想定される。この場合、ＹＣ分離前のコンポジット信号において、位相が１８０°異なる色副搬送波が多重された２つのフィールドを第１および第２フィールドとすることにより、ＹＣ分離後のコンポーネント信号において、第１フィールドと第２フィールドとでドット妨害成分の位相を互いに逆位相とすることができる。
【００２０】
一例を挙げれば、ＹＣ分離前のコンポジット映像信号がＮＴＳＣ映像信号である場合、第１フィールドより２フィールド前のフィールド（直前のフレームの同一走査ラインに対応するフィールド）、あるいは、第１フィールドより２フィールド後のフィールド（直後のフレームの同一走査ラインに対応するフィールド）を第２フィールドとすることにより、第１フィールドと第２フィールドとで、ドット妨害成分の位相を互いに逆位相にすることができる。また、ＹＣ分離前のコンポジット映像信号がＰＡＬ映像信号である場合、第１フィールドより４フィールド前のフィールド（２フレーム前のフレームの同一走査ラインに対応するフィールド）、あるいは、第１フィールドより４フィールド後のフィールド（２フレーム後のフレームの同一走査ラインに対応するフィールド）を第２フィールドとすることにより、第１フィールドと第２フィールドとで、ドット妨害成分の位相を互いに逆位相にすることができる。
【００２１】
また、上記課題を解決するために、本発明に係る輝度信号補正方法は、第１フィールドに含まれる第１輝度信号と、該第１フィールドより所定フィールド前または後の第２フィールドに含まれる第２輝度信号とを参照し、上記第１輝度信号と上記第２輝度信号との差分値の符号が変化する画素を始点とする判定対象区間を特定する特定工程と、上記判定対象区間における上記第１輝度信号の変動が、ドット妨害成分であるかを判定する判定工程と、上記変動がドット妨害成分であると判定されたとき、上記判定対象区間における上記第１輝度信号を、上記第１輝度信号と上記第２輝度信号との平均値に置き換える補正工程と、を含んでいる、ことを特徴としている。
【００２２】
上記構成によれば、上述した輝度信号補正装置が奏するのと同様の効果を奏する。
【００２３】
本発明に係る輝度信号補正装置において、上記判定手段は、上記第１輝度信号または上記第２輝度信号の変動の大きさが、予め定められた閾値以上であるとき、上記第１輝度信号の変動がドット妨害成分であると判定する、ことが好ましい。
【００２４】
上記の構成によれば、上記輝度信号補正装置が、変動の大きさが上記閾値に満たない、ドット妨害成分ではない微小変動を、ドット妨害成分であると誤判断することがない。したがって、上記判定対象区間における上記第１輝度信号の変動がドット妨害成分であるか否かを判定する判定精度を、より高めることができるという更なる効果を奏する。
【００２５】
なお、上記判定手段は、上記第１輝度信号または上記第２輝度信号の変動の大きさとして、例えば、（１）上記第１輝度信号と上記第２輝度信号との差分値の大きさの、上記判定対象区間における最大値を用いるものであってもよいし、（２）上記第１輝度信号または上記第２輝度信号の第１の判定対象区間における最大値または最小値と、上記第１輝度信号または上記第２輝度信号の、該第１の判定対象区間に隣接する第２の判定対象区間における最大値または最小値とに基づいて決定した、上記第１輝度信号または上記第２輝度信号の振幅を用いるものであってもよい。
【００２６】
本発明に係る輝度信号補正装置において、上記判定手段は、上記第１輝度信号または上記第２輝度信号の変動周期が、予め定められたドット妨害成分の変動周期に略一致するとき、上記第１輝度信号の変動がドット妨害成分であると判定する、ことが好ましい。
【００２７】
上記の構成によれば、上記輝度信号補正装置が、変動周期がドット妨害成分の変動周期とは異なる、ドット妨害成分ではない変動を、ドット妨害成分であると誤判断することがない。したがって、上記判定対象区間における上記第１輝度信号の変動がドット妨害成分であるか否かを判定する判定精度を、より高めることができるという更なる効果を奏する。
【００２８】
なお、上記判定手段は、上記第１輝度信号または上記第２輝度信号の変動周期として、例えば、（１）第１の判定対象区間に属する画素の画素数と、該第１の判定対象区間に隣接する第２の判定対象区間に属する画素の画素数との和を用いるものであってもよいし、あるいは、（２）上記第１輝度信号と上記第２輝度信号との交点のうち、第１の判定対象区間の始点の直前の交点と、該第１の判定対象区間に隣接する第２の判定対象区間の終点の直後の交点との間の距離を用いるものであってもよい。
【００２９】
なお、上記第１輝度信号または上記第２輝度信号の変動周期が、予め定められたドット妨害成分の変動周期に略一致するとは、上記第１輝度信号または上記第２輝度信号の変動周期と、予め定められたドット妨害成分の変動周期との差の絶対値が、予め定められた閾値に対して十分小さいことである。
【００３０】
本発明に係る輝度信号補正装置において、上記判定手段は、上記第１輝度信号の変動が上記第２輝度信号の変動と逆位相の変動であるとき、上記第１輝度信号の変動がドット妨害成分であると判定する、ことが好ましい。
【００３１】
上記の構成によれば、上記輝度信号補正装置が、上記第１輝度信号の変動が上記第２輝度信号の変動とが互いに逆位相にならない、ドット妨害成分ではない変動を、ドット妨害成分であると誤判断することがない。したがって、上記判定対象区間における上記第１輝度信号の変動がドット妨害成分であるか否かを判定する判定精度をより高めることができるという更なる効果を奏する。
【００３２】
なお、上記判定手段は、上記第１輝度信号の変動が上記第２輝度信号の変動と逆位相の変動であることを、例えば、（１）上記第１輝度信号の変動量と上記第２輝度信号の変動量との和が、予め定められた所定の閾値、または、上記第１輝度信号と上記第２輝度信号との差分値に応じて定めた閾値より小さいことを確かめることにより判定するものであってもよいし、（２）上記第１輝度信号と上記第２輝度信号との平均値の変動の大きさが、予め定められた所定の閾値、または、上記第１輝度信号と上記第２輝度信号との差分値に応じて定めた閾値より小さいことを確かめることにより判定するものであってもよい。
【００３３】
本発明に係る輝度信号補正装置において、上記判定手段は、第１の判定対象区間における上記第１輝度信号または上記第２輝度信号の変動の大きさが、第２の判定対象区間における上記第１輝度信号または上記第２輝度信号の変動の大きさと略一致するとき、上記第１輝度信号の変動がドット妨害成分であると判定する、ことが好ましい。
【００３４】
上記の構成によれば、上記輝度信号補正装置が、変動の大きさが判定区間毎に異なる、ドット妨害成分ではない変動を、ドット妨害成分であると誤判断することがない。したがって、上記判定対象区間における上記第１輝度信号の変動がドット妨害成分であるか否かを判定する判定精度をより高めることができるという更なる効果を奏する。
【００３５】
なお、上記輝度信号補正装置は、コンピュータによって実現してもよい。この場合、コンピュータを上記各手段として動作させることにより、上記輝度信号補正装置をコンピュータにおいて実現する輝度信号補正プログラム、および、そのプログラムを記録したコンピュータ読み取り可能な記録媒体も、本発明の範疇に入る。
【００３６】
また、上記輝度信号補正装置を備え、コンポーネント映像信号に含まれる輝度信号を、上記輝度信号補正装置により補正する、映像信号処理装置も、本発明の範疇に入る。
【発明の効果】
【００３７】
本発明に係る輝度信号補正装置は、以上のように、第１フィールドに含まれる第１輝度信号と、該第１フィールドより所定フィールド前または後の第２フィールドに含まれる第２輝度信号とを参照し、上記第１輝度信号と上記第２輝度信号との差分値の符号が変化する画素を始点とする判定対象区間を特定する特定手段と、上記判定対象区間における上記第１輝度信号の変動が、ドット妨害成分であるかを判定する判定手段と、上記変動がドット妨害成分であると判定されたとき、上記判定対象区間における上記第１輝度信号を、上記第１輝度信号と上記第２輝度信号との平均値に置き換える補正手段と、を備えているので、意図しない補正によるボケを生じることなく、輝度信号からドット妨害成分を確実に除去することができる。
【発明を実施するための最良の形態】
【００３８】
本発明の一実施形態について、図１〜図１２に基づいて説明すれば以下のとおりである。
【００３９】
（輝度信号補正回路の概略構成）
まず、本実施形態に係る輝度信号補正回路（輝度信号補正装置）１００の概略的な構成について、図１を参照して説明する。
【００４０】
図１は、輝度信号補正回路１００の概略構成を示したブロック図である。
【００４１】
図１に示したように、輝度信号補正回路１００は、第１の輝度信号用ラインメモリ１１０と、第２の輝度信号用ラインメモリ１２０と、色差信号用ラインメモリ１３０と、ディレイ回路１４０と、妨害補正回路１５０と、水平妨害検出回路１６０と、垂直妨害検出回路１７０とを含んで構成されている。
【００４２】
輝度信号補正回路１００には、輝度信号と色差信号（色信号）とを含むコンポーネント映像信号が、不図示のフレームバッファから入力される。輝度信号補正回路１００に入力されたコンポーネント信号のうち、輝度信号は、輝度信号用ラインメモリ１１０および１２０に、色差信号は、色差信号用ラインメモリ１３０に入力される。
【００４３】
第１の輝度信号用ラインメモリ１１０は、各々１ライン分の輝度信号を保持する複数のラインメモリからなり、現フィールドの輝度信号を複数ライン分（図示した例では８ライン分）保持する。同様に、第２の輝度信号用ラインメモリ１２０は、各々１ライン分の輝度信号を保持する複数のラインメモリからなり、現フィールドより２フィールド前のフィールド（以下、「前々フィールド」と称する）の輝度信号を複数ライン分（図示した例では８ライン分）保持する。また、色差信号用ラインメモリ１３０は、各々１ライン分の輝度信号を保持する２つのラインメモリからなり、現フィールドの色差信号を２ライン分を保持する。
【００４４】
なお、図１、および、以下の説明において、記号ｎｏｗは現フィールドの輝度信号を表し、記号ｂｅｆは前々フィールドの輝度信号を表し、記号ｃｂｃｒは現フィールドの色差信号を表す。また、図１において、ｎｏｗ、ｂｅｆ、およびｃｂｃｒの各記号の後に付された数字は、当該信号が何ライン目の輝度信号であるかを表す。
【００４５】
第１の輝度信号用ラインメモリ１１０は、第７ラインの輝度信号ｎｏｗ７がフレームバッファから転送されるのと並行して、第６ラインの輝度信号ｎｏｗ６を水平妨害検出回路１６０に、第６ラインおよび第５ラインの輝度信号ｎｏｗ６およびｎｏｗ５をディレイ回路１４０に、第０ラインの輝度信号ｎｏｗ０を妨害補正補正回路１５０に、それぞれ画素毎に送出する。
【００４６】
また、第２の輝度信号用ラインメモリ１２０は、第７ラインの輝度信号ｂｅｆ７がフレームバッファから転送されるのと並行して、第６ラインの輝度信号ｂｅｆ６を水平妨害検出回路１６０に、第６ラインおよび第５ラインの輝度信号ｂｅｆ６およびｂｅｆ５をディレイ回路１４０に、第０ラインの輝度信号ｂｅｆ０を妨害補正回路１５０に、それぞれ画素毎に送出する。
【００４７】
水平妨害検出回路１６０は、走査ライン方向と水平な方向に対する輝度信号の変動からドット妨害発生区間を特定し、検出対象ラインの各画素がドット妨害発生区間に含まれているか否かを示す検出結果を、画素毎に垂直妨害検出回路１７０に送出する。図１に示した時点では、入力された輝度信号ｎｏｗ６およびｂｅｆ６に基づいて第６ラインにおけるドット妨害発生区間を特定し、各画素に対する検出結果を垂直妨害検出回路１７０に送出する。垂直妨害検出回路１７０は、複数ライン分（例えば、６ライン分）の検出結果を格納する制御情報ラインメモリ１７９を備えており、水平妨害検出回路１６０から送出された第６ラインに対する検出結果は、この制御情報ラインメモリ１７９に格納される。
【００４８】
ここで、水平妨害検出回路１６０は、後述するように、入力された画素に対する検出結果を、その画素より後に入力される画素を参照して決定する。このため、水平妨害検出回路１６０は、ある画素に対する検出結果を、その画素の輝度値が入力されるタイミングに対して、所定画素クロック分遅れて出力するように構成されている。
【００４９】
ディレイ回路１４０は、輝度信号用ラインメモリ１１０および１２０から送出された輝度信号ｎｏｗ６、ｎｏｗ５、ｂｅｆ６、および、ｂｅｆ５における各画素の輝度値を、水平妨害検出回路１６０から出力される同画素に対する検出結果と同期させるための構成であり、これらの輝度信号における各画素の輝度値を、上記所定画素クロック遅延して垂直妨害検出回路１７０に出力する。
【００５０】
なお、本実施形態においては、ドット妨害成分の水平方向周期として、７．７１画素を想定している。したがって、水平妨害検出回路１６０は、ある画素に対する検出結果を得るために、その画素より７．７１画素以上後の画素の輝度値を参照することが好ましい。このため、水平妨害検出回路１６０は、例えば、入力された画素に対する検出結果を、９画素クロック後に出力するように構成され、これに対応し、ディレイ回路１４０は、例えば、入力された輝度信号を９画素クロック遅延するように構成される。
【００５１】
垂直妨害検出回路１７０は、走査ラインと垂直な方向（画素列方向）に対する輝度信号の変動からドット妨害発生区間を特定し、所定ラインの各画素がドット妨害発生区間に含まれているか否かを示す検出結果を画素毎に出力する。図１に示した時点では、第０ラインの各画素に対する検出結果を妨害補正回路１５０に送出するとともに、第１ラインから第５ラインまでの各画素が垂直方向のドット妨害発生区間に含まれているかを示す検出結果を制御情報ラインメモリ１７９に書き込む。
【００５２】
なお、図１に示した時点で、制御情報ラインメモリ１７９には、既に、水平方向妨害検出回路１６０から得た第１ラインから第５ラインに対する検出結果が書き込まれている。垂直妨害検出回路１７０は、これらの検出結果のうち、垂直方向のドット妨害発生区間に含まれていると判定した画素に対する検出結果を、「妨害あり」に書き換える。これにより、制御情報ラインメモリ１７９に格納されている第１ラインから第５ラインまでの各画素に対する検出結果が、水平方向のドット妨害発生区間または垂直方向のドット妨害発生区間の少なくとも何れか一方に含まれているとき、「妨害あり」に設定される。垂直妨害検出回路１７０が妨害補正回路１５０に送出する第０ラインに対する検出結果は、図１に示した時点より前に、以上のようにして設定された検出結果である。
【００５３】
なお、垂直妨害検出回路１７０が、第６ラインおよび第５ラインの輝度信号が入力された時点で、第０ラインに対する検出結果を出力するように構成されているのは、本実施形態においては、ドット妨害成分の垂直方向周期として４．５ラインが想定されているためである。垂直妨害検出回路１７０は、それまでに設定された区間情報と、新たに入力された２ライン分の輝度信号（第６ラインおよび第５ラインの輝度信号）とを参照して、ドット妨害成分の垂直方向周期を切り上げたライン数（５ライン）分にあたる、第１ラインから第５ラインまでの各画素に対する検出結果を得る。このため、第６ラインおよび第５ラインの輝度信号が入力される時点で、既に結果が確定している第０ラインの各画素に対する検出結果を出力するようにしている。
【００５４】
妨害補正回路１５０は、入力された検出結果に基づいて、ドット妨害発生区間の輝度信号を、補正信号に置き換える。補正信号としては、例えば、現フィールドの輝度信号と前々フィールドの輝度信号の平均輝度信号を用いることができる。図１に示した構成においては、垂直妨害検出回路１７０から出力された第０ラインに対する検出結果に基づいて、輝度信号ｎｏｗ０におけるドット妨害発生区間内の輝度値を、現フィールドの輝度信号ｎｏｗ０と前々フィールドの輝度信号ｂｅｆ０との平均輝度値に置き換える。
【００５５】
妨害補正回路１５０によりドット妨害成分が除去された第０ラインの輝度信号ｎｏｗ０は、色差信号用ラインメモリ１３０から出力される同ラインの輝度信号ｃｂｃｒ０と同期されて、最終的な映像信号として輝度信号補正回路１００から出力される。
【００５６】
ところで、図１に示したラインメモリ１１０、１２０、および、１３０は、それぞれ輝度信号または色差信号を１ライン分格納可能なラインメモリが複数集まって構成されており、読み出すラインメモリと、書き込むメモリをとを順次切り替えていくことにより、次々に新しいラインの信号を転送していく。
【００５７】
例えば、第１の輝度信号用ラインメモリ１１０について言えば、図１の時点で、フレームバッファから得た輝度信号ｎｏｗ７を書き込んで、輝度信号ｎｏｗ６、ｎｏｗ５、および、ｎｏｗ０を読み出している。
【００５８】
このラインの処理が終わって次のラインの処理に進む場合は、不要になった古い輝度信号ｎｏｗ０が格納されていたラインメモリに、新しいラインの輝度信号ｎｏｗ８を書き込む。読み出すラインも１ラインずつ新しいラインに切り替えて、ｎｏｗ７、ｎｏｗ６、および、ｎｏｗ１を読み出す。
【００５９】
（妨害補正回路）
輝度信号補正回路１００の妨害補正回路１５０の詳細について、図２を参照して説明する。
【００６０】
図２は、妨害補正回路１５０の構成を示したブロック図である。妨害補正回路１５０は、図２に示したように、フリップフロップ回路１５１〜１５４と、加算回路１５５と、シフト回路１５６と、選択回路１５７とを含んで構成されている。
【００６１】
現フィールドの輝度信号ｎｏｗにおける各画素の輝度値ｎiと、前々フィールドの輝度信号ｂｅｆにおける同画素の輝度値ｂiとが、フリップフロップ回路１５１と１５２とにより同期されて、加算回路１５５に入力される。ここで、輝度値ｎiは、現フィールドの輝度信号ｎｏｗにおけるｉ番目の画素の輝度値を表し、輝度値ｂiは、前々フィールドの輝度信号ｂｅｆにおけるｉ番目の画素の輝度値を表す。
【００６２】
加算回路１５５は、現フィールドの輝度値ｎiと前々フィールドの輝度値ｂiとを加算し、得られた和ｎi＋ｂiをシフト回路１５６に出力する。シフト回路１５６は、現フィールドの輝度値と前々フィールドの輝度値との和を１ビット右へシフトし、得られた平均輝度値（ｎi＋ｂi）／２を選択回路１５７に出力する。
【００６３】
選択回路１５７には、平均輝度値（ｎi＋ｂi）／２と同時に、フリップフロップ回路１５１を介して現フィールドの輝度値ｎiが入力される。選択回路１５７は、当該画素がドット妨害発生区間に含まれていないことを示す検出結果が垂直妨害検出回路１７０から入力されたとき、現フィールドの輝度値ｎiを出力し、当該画素がドット妨害発生区間に含まれていることを示す検出結果が垂直妨害検出回路１７０から入力されたとき、平均輝度値（ｎi＋ｂi）／２を出力する。
【００６４】
（水平妨害検出回路）
輝度信号補正回路１００の水平妨害検出回路１６０の詳細について、図３〜図１１参照して説明する。
【００６５】
まず、水平妨害検出回路１６０がドット妨害発生区間を検出する方法の骨子を、図３を参照して説明する。
【００６６】
図３は、ドット妨害成分を含有する輝度信号の波形図である。図３において、実線により示したｎｏｗは、現フィールドの輝度信号の波形図を示し、点線により示したｂｅｆは、前々フィールドの輝度信号の波形図を示す。ここで、輝度信号におけるドット妨害成分とは、ＹＣ分離時に混入した色差信号成分のことである。輝度信号に含まれるドット妨害成分は、以下のような性質を有する。
【００６７】
まず、輝度信号に含まれるドット妨害成分は、図３に示したように、固有の周期をもって振動する。このドット妨害成分の振動周期は、ＹＣ分離前後の映像信号の信号方式により決まる。図３に示した輝度信号は、ＮＴＳＣ映像信号をＹＣ分離後にＳＤ解像度からＨＤ解像度にアップコンバートして得られた輝度信号であり、水平方向周期は７．７１画素、垂直方向周期は４．５画素である。
【００６８】
実際、色副搬送波の周波数３．５８ＭＨｚ、正方画素でサンプリングを行う際の水平周波数を１２．２７２７ＭＨｚ、ＨＤ映像信号のライン数を５４０、ＳＤ映像信号のライン数を２４０とすると、ドット妨害成分の水平方向周期は、
１２．２７２７÷３．５８×(５４０÷２４０)＝７．７１
と求めることができる。
【００６９】
また、ＳＤ映像信号のフィールド映像を垂直方向に見たとき、色副搬送波はライン毎に位相が反転する。つまり、ドット妨害成分の垂直方向の周期は２ラインになる。したがって、アップコンバートによる拡大倍率を考慮すると、ドット妨害成分の垂直方向の周期は、
２×(５４０÷２４０)＝４．５
と求められる。なお、ここでは、ＨＤ映像信号およびＳＤ映像信号における走査方式として、インターレースを仮定した。
【００７０】
また、輝度信号に含まれるドット妨害成分は、異なるフィールド間で一定の相関を有する。例えば、ＮＴＳＣ映像信号においては、色副搬送波の位相が１フレーム毎に反転するので、ＨＤ映像信号にアップコンバートして得られた輝度信号におけるドット妨害成分の位相は、１フレーム毎に反転する。すなわち、図３に示したように、現フィールドの輝度信号ｎｏｗと、前々フィールド（直前のフレームの同一走査ラインに対応するフィールド）の輝度信号ｂｅｆとでは、含まれるドット妨害成分の位相が１８０°異なる。
【００７１】
水平妨害検出回路１６０は、ドット妨害成分の上記の性質を利用して、ドット妨害発生区間を検出する。すなわち、水平妨害検出回路１６０は、現フィールドの輝度信号ｎｏｗと前々フィールドの輝度信号ｂｅｆとの差分値の符号が変わった画素を始点画素とする判定対象区間を特定し、特定した判定対象区間における輝度信号の変動がドット妨害によるものであるか否かを判定する。そして、判定対象区間のうち、輝度信号の変動がドット妨害によるものであると判定した区間を、ドット妨害発生区間とする。
【００７２】
輝度信号にドット妨害成分が含まれている場合、図３からも分かるように、判定対象区間は、ドット妨害成分の半周期分に相当する。そこで、水平妨害検出回路１６０は、以下に説明するように、１つの判定対象区間における輝度信号の変動が、半周期分のドット妨害成分によるものか否かを判定する１区間判定と、連続する２つの判定対象区間における輝度信号の変動が、１周期分のドット妨害成分によるものであるかを判定する２区間判定とを実行する。そして、１区間判定および２区間判定の両方をパスした判定対象区間をドット妨害発生区間とすることにより、実際にはドット妨害が発生していない区間をドット妨害発生区間と誤判断する可能性を抑制している。ただし、水平妨害検出回路１６０は、これに限らず、１区間判定のみのを行うように構成してもよいし、あるいは、２区間判定のみを行うように構成してもよい。
【００７３】
次に、水平妨害検出回路１６０の構成を、図４〜図１１を参照して説明する。
【００７４】
図４は、水平妨害検出回路１６０の構成例を示したブロック図である。
【００７５】
水平妨害検出回路１６０は、図４に示したように、判定対象区間の始点画素を検出する交点検出部１６１と、検出された始点画素が判定対象区間の始点画素として適切であるか否かを判定する交点判定部１６２と、判定対象区間の区間情報を算出する区間情報設定部１６３と、算出された区間情報を保持する区間情報バッファ１６４と、１判定対象区間における輝度値の変動がドット妨害成分によるものか否かを、当該１判定対象区間の区間情報に基づいて判定する１区間判定部１６５と、連続する２判定対象区間の輝度値の変動がドット妨害成分によるものか否かを、当該２判定対象区間の区間情報に基づいて判定する２区間判定部１６６と、上記各部を制御する制御回路１６７とを含んで構成されている。
【００７６】
以下、上記各部の動作について、更に具体的に説明する。
【００７７】
交点検出部１６１、交点判定部１６２、および、区間情報設定部１６３には、それぞれ、現フィールドの輝度値ｎiと、前々フィールドの輝度値ｂiとが同期して入力される。
【００７８】
交点検出部１６１は、入力された輝度値の差分値ｎi−ｂiの符号と、前回入力された１画素遅延輝度値の差分値ｎi-1−ｂi-1の符号とを比較する。比較の結果、両者の符合が異なっていた場合、交点検出部１６１は、入力された輝度値ｎiおよびｂiに対応する画素が判定対象区間の始点画素であることを、制御回路１６７に通知する。ここで、輝度値ｎiは、現フィールドの輝度信号ｎｏｗにおけるｉ番目の画素の輝度値を表し、輝度値ｂiは、前々フィールドの輝度信号ｂｅｆにおけるｉ番目の画素の輝度値を表す。
【００７９】
交点判定部１６２は、現フィールドの輝度値の変化量の絶対値｜ｎi−ｎi-1｜と、前々フィールドの輝度値の変化量の絶対値｜ｂi−ｂi-1｜とを、それぞれ予め設定された閾値と比較する。輝度値の変動がドット妨害成分によるものである場合、算出された上記２つの絶対値は、それぞれ、一定以上の値をもつはずである。そこで、比較の結果、算出した上記２つの絶対値が何れも閾値より大きかった場合、交点判定部１６２は、入力された輝度値ｎiおよびｂiに対応する画素が判定対象区間の始点画素として適切であることを、制御回路１６７に通知する。
【００８０】
制御部１６７は、交点検出部１６１および交点判定部１６２から上記２つの通知を受けると、入力された輝度値ｎiおよびｂiに対応する画素を、判定対象区間の始点画素として特定し、新たな判定対象区間の開始を、区間情報設定部１６３、１区間判定部１６５、および、２区間判定部１６６に通知する。
【００８１】
区間情報設定部１６３は、入力された輝度値ｎiおよびｂiに基づいて判定対象区間の区間情報を算出し、区間情報バッファ１６４に記憶されている区間情報テーブルに格納する。区間情報テーブルに格納される区間情報としては、以下に説明するｎｏｗ_ｍａｘ、ｂｅｆ_ｍａｘ、ａｖｅ_ｍａｘ、ｎｏｗ_ｍｉｎ、ｂｅｆ_ｍｉｎ、ａｖｅ_ｍｉｎ、ｄｉｆｆ、ｄｉｒ、ｃｒｓｐ、および、ｐｉｘの各情報が挙げられる。
【００８２】
図５は、区間情報バッファ１６４に記憶されている区間情報テーブルを示す図である。
【００８３】
図５に示したように、区間情報バッファ１６４には、処理中の判定対象区間（以下、「現区間」とも称する）の区間情報を格納する区間情報テーブル２０１と、現区間の直前に処理された現区間に隣接する判定対象区間（以下、「前区間」とも称する）の区間情報を格納する区間情報テーブル２０２と、前区間の直前に処理された、前区間に隣接する判定対象区間（以下、「前々区間」とも称する）の区間情報を格納する区間情報テーブル２０３とが記憶される。
【００８４】
各区間情報テーブルに格納される区間情報は異なっており、図５においては、各区間情報テーブルに格納される区間情報を丸印により示している。すなわち、現区間用の区間情報テーブル２０１には、上記１０種類の区間情報全てが格納され、前区間用の区間情報テーブル２０２には、区間情報ｄｉｒを除く９種類の区間情報が格納され、前々区間用の区間情報テーブル２０３には、区間情報ｃｒｓｐのみが格納される。
【００８５】
区間情報設定部１６３は、制御回路１６７から新たな判定対象区間の開始が通知されると、前区間の区間情報を前々区間用の区間情報テーブル２０３にシフトし、現区間の区間情報を前区間用の区間情報テーブル２０２にシフトする。そして、新たな判定対象区間の区間情報を格納するために、現区間用の区間情報テーブル２０１を初期化するとともに、各区間情報を設定する。その後、区間情報設定部１６３は、制御回路１６７から次に新たな判定対象区間の開始を通知されるまで、輝度値ｎiおよびｂiが入力されるたびに、区間情報テーブル２０１に格納された各区間情報を更新する。
【００８６】
以下、区間情報テーブル２０１に格納される、上記１０種類の区間情報について説明する。
【００８７】
区間情報ｎｏｗ_ｍａｘは、現フィールドの輝度値ｎiの当該判定対象区間における最大値である。
【００８８】
区間情報ｂｅｆ_ｍａｘは、前々フィールドの輝度値ｂiの当該判定対象区間における最大値である。
【００８９】
区間情報ａｖｅ_ｍａｘは、現フィールドの輝度値ｎiと、前々フィールドの輝度値ｂiとの平均値の、当該判定対象区間における最大値である。
【００９０】
区間情報ｎｏｗ_ｍｉｎは、現フィールドの輝度値ｎiの当該判定対象区間における最小値である。
【００９１】
区間情報ｂｅｆ_ｍｉｎは、前々フィールドの輝度値ｂiの当該判定対象区間における最小値である。
【００９２】
区間情報ａｖｅ_ｍｉｎは、現フィールドの輝度値ｎiと、前々フィールドの輝度値ｂiとの平均値の、当該判定対象区間における最小値である。
【００９３】
区間情報ｄｉｆｆは、現フィールドの輝度値ｎiと、前々フィールドの輝度値ｂiとの差分値の絶対値ｄｉｆｆi＝｜ｎi−ｂi｜の、当該判定対象区間における最大値である。
【００９４】
区間情報設定部１６３は、新たに入力された輝度値ｎiおよびｂiに基づいてｄｉｆｆiを算出し、区間情報テーブル２０１に格納されているｄｉｆｆの値と比較する。比較の結果、ｄｉｆｆi＞ｄｉｆｆであれば、区間情報テーブル２０１に格納されているｄｉｆｆの値を、新たに算出したｄｉｆｆiの値に更新する。これにより、区間情報テーブル２０１に格納されたｄｉｆｆの値は、当該判定対象区間の全画素を処理し終えた時点で、当該判定対象区間における最大値に設定される。
【００９５】
輝度値の変動がドット妨害成分のみによるものである場合、現フィールドの輝度値ｎiと前々フィールドの輝度値ｂiとは１８０°の位相差をもって変動するので、出力映像にドット状の模様が現れる部分では、ｄｉｆｆは大きな値を取る。したがって、ｄｉｆｆの値が所定の閾値以上であれば、一定の確からしさで、判定対象区間における輝度信号の変動がドット妨害成分によるものであると言える。
【００９６】
区間情報ｄｉｒは、現フィールドの輝度値の変化量（ｎi−ｎi-1）と、前々フィールドの輝度値の変化量（ｂi−ｂi-1）の和の絶対値ｄｉｒi＝｜（ｎi−ｎi-1）＋（ｂi−ｂi-1）｜の当該判定対象区間における最大値である。
【００９７】
区間情報設定部１６３は、新たに入力された輝度値ｎiおよびｂi、ならびに、前回入力された１画素遅延輝度値ｎi-1およびｂi-1に基づいてｄｉｒiを算出し、区間情報テーブル２０１に格納されているｄｉｒの値と比較する。比較の結果、ｄｉｒi＞ｄｉｒであれば、区間情報テーブル２０１に格納されているｄｉｒの値を、新たに算出したｄｉｒiの値に更新する。これにより、区間情報テーブル２０１に格納されたｄｉｒの値は、当該判定対象区間の全画素を処理し終えた時点で、当該判定対象区間における最大値に設定される。
【００９８】
輝度値の変動がドット妨害成分のみによるものである場合、図６に示したように、現フィールドの輝度値の変化量（ｎi−ｎi-1）と前々フィールドの輝度値の変化量（ｂi−ｂi-1）とは、逆の符号を有し、その大きさは略一致する。すなわち、ｄｉｒiは、０に略一致する。したがって、ｄｉｒの値が所定の閾値以下であれば、一定の確からしさで、判定対象区間における輝度信号の変動がドット妨害成分によるものであると言える。
【００９９】
区間情報ｃｒｓｐは、現フィールドの輝度信号ｎｏｗと前々フィールドの輝度信号ｂｅｆとの交点のうち、当該判定対象区間の終点画素の直後の交点の詳細位置を示す情報であり、例えば、画素間を複数の区間に分割したときに、線形補間された輝度信号の交点が存在する区間を示す。図７に示した例では、画素間を区間０〜７に８等分しており、線形補間された輝度信号の交点は区間５上に存在するので、ｃｒｓｐ＝５となる。
【０１００】
区間情報ｐｉｘは、判定対象区間の始点画素から終点画素までの距離を画素を単位としてカウントした値である。図８に示した例では、ｐｉｘ＝３である。
【０１０１】
次に、１区間判定部１６５について、図９を参照して説明する。制御回路１６７から新たな判定対象区間の開始が通知されると、１区間判定部１６５は、処理が完了した第１の判定対象区間における輝度値の変動が、ドット妨害成分によるものか否かを判定する１区間判定を実行する。当該判定は、以下に説明するように、更新が完了した区間情報テーブル２０１に格納されている当該判定対象区間の区間情報に基づいて行われる。
【０１０２】
図９は、１区間判定部１６５が判定する内容を一覧した図である。１区間判定部１６５は、図９に示したｄｉｆｆチェック、ｄｉｒチェック、および、ｄｉｆｆ連動ｄｉｒチェックのうち、少なくとも何れか１つのチェックを行う。もちろん、これら３つのチェックをすべて行ってもよい。
【０１０３】
ｄｉｆｆチェックは、区間情報テーブル２０１に格納されたｄｉｆｆの値が、予め設定された最小値より大きいかを判定するチェックである。
【０１０４】
ｄｉｒチェックは、区間情報テーブル２０１に格納されたｄｉｒの値が、予め設定された最大値より小さいかを判定するチェックである。
【０１０５】
ｄｉｆｆ連動ｄｉｒチェックは、区間情報テーブル２０１に格納されたｄｉｒの値が、ｄｉｆｆ連動最大値より小さいかを判定するチェックである。ここで、ｄｉｆｆ連動最大値とは、区間情報テーブル２０１に格納されたｄｉｆｆの値に応じて定まるｄｉｒの最大値であり、例えば、ｄｉｆｆの値の定数倍に設定した閾値のことである。
【０１０６】
（１）ｄｉｆｆの値が予め設定された最小値より大きく、（２）ｄｉｒの値が予め設定された最大値より小さく、かつ、（３）ｄｉｒの値がｄｉｆｆ連動最大値より小さい場合、１区間判定部１６５は、第１の判定対象区間が１区間判定にパスしたことを制御回路１６７に通知する。
【０１０７】
なお、ここでは、１区間判定に含まれる３つのチェックを全てパスした場合に１区間判定にパスしたと判定するものとしたが、これに限らず、何れか１つのチェックをパスした場合に１区間判定をパスしたと判定するようにしてもよい。
【０１０８】
次に、２区間判定部１６６について、図１０を参照して説明する。制御回路１６７から新たな判定対象区間の開始が通知されると、２区間判定部１６６は、該新たな判定対象区間の前に処理を完了した第１の判定対象区間と、該第１の判定対象区間のさらに前に処理を完了した第２の判定対象区間とを合併した区間における輝度値の変動が、ドット妨害成分によるものか否かを判定する２区間判定を実行する。当該判定は、以下に説明するように、区間情報テーブル２０１、２０２、および、２０３に格納されている区間情報に基づいて行われる。
【０１０９】
図１０は、２区間判定部１６６が判定する内容を一覧した図である。図１０に示したように、２区間判定部１６６は、ｌｅｎチェック、ｄｉｆｆ_ｎチェック、現フィールドの輝度信号ｎｏｗに対するｂｕｍｐチェック、前々フィールドの輝度信号ｂｅｆに対するｂｕｍｐチェック、および、平均輝度信号ａｖｅに対するｂｕｍｐチェックのうち、少なくとも何れか１つのチェックを行う。もちろん、これら５つのチェックをすべて行ってもよい。
【０１１０】
ｌｅｎチェックは、現フィールドの輝度信号ｎｏｗと前々フィールドの輝度信号ｂｅｆとの交点のうち、第２の判定対象区間の始点画素直前の交点と、第１の判定対象区間の終点画素直後の交点との間の交点間距離が、ドット妨害成分の水平方向波長（具体的には、７．７１画素）よりも小さく設定された最小値よりも大きく、かつ、当該波長よりも大きく設定された最大値よりも小さいかを判定するチェックである。すなわち、上記交点間距離が、ドット妨害成分の水平方向周波数に略一致するかを判定するチェックである。
【０１１１】
ここで、上記交点間距離としては、区間情報テーブル２０１および２０２に格納されたｐｉｘの値を加算して得られる近似値を用いてもよいし、より正確なチェックを行うために、区間情報テーブル２０３に格納されたｃｒｓｐの値（第２の判定対象区間の始点画素直前の交点の位置）と、区間情報テーブル２０１に格納されたｃｒｓｐの値（第１の判定対象区間の終点画素直後の交点の位置）とに基づいて定まる、より精度のよい近似値を用いてもよい。
【０１１２】
ｄｉｆｆ_ｎチェックは、区間情報テーブル２０２に格納されたｄｉｆｆの値と、区間情報テーブル２０１に格納されたｄｉｆｆの値を比較し、差分値の絶対値が予め設定された最大値より小さくなるかを判定するチェックである。輝度値の変動がドット妨害成分のみによるものである場合、ドット妨害成分の周期性より、各判定対象区間のｄｉｆｆの値は一致するはずである。したがって、上記差分値が所定の閾値以下であることをチェックすることにより、輝度値の変動がドット妨害成分によるものであることを確かめることができる。
【０１１３】
現フィールドの輝度信号ｎｏｗに対するｂｕｍｐチェックは、区間情報テーブル２０２に格納されたｎｏｗ_ｍａｘ、および、区間情報テーブル２０１に格納されたｎｏｗ_ｍｉｎ（あるいは、区間情報テーブル２０２に格納されたｎｏｗ_ｍｉｎ、および、区間情報テーブル２０１に格納されたｎｏｗ_ｍａｘ）から定まる輝度信号ｎｏｗの振幅が所定の最小値よりも大きいかを判定するチェックである。
【０１１４】
前々フィールドの輝度信号ｂｅｆに対するｂｕｍｐチェックは、区間情報テーブル２０２に格納されたｂｅｆ_ｍａｘ、および、区間情報テーブル２０１に格納されたｂｅｆ_ｍｉｎ（あるいは、区間情報テーブル２０２に格納されたｂｅｆ_ｍｉｎ、および、区間情報テーブル２０１に格納されたｂｅｆ_ｍａｘ）から定まる輝度信号ｂｅｆの振幅が所定の最小値よりも大きいかを判定するチェックである。
【０１１５】
一方、平均輝度信号ａｖｅに対するｂｕｍｐチェックは、区間情報テーブル２０２に格納されたａｖｅ_ｍａｘ、および、区間情報テーブル２０１に格納されたａｖｅ_ｍｉｎ（あるいは、区間情報テーブル２０２に格納されたａｖｅ_ｍｉｎ、および、区間情報テーブル２０１に格納されたａｖｅ_ｍａｘ）から定まる平均輝度信号ａｖｅの振幅が、予め設定された最大値よりも小さいか、および、ｄｉｆｆ連動最大値より小さいかを判定するチェックである。
【０１１６】
（１）上記交点間距離が予め設定された範囲内にあり、（２）ｄｉｆｆの上記差分値が予め設定された最大値より小さく、（３）輝度信号ｎｏｗの振幅、または、輝度信号ｂｅｆの振幅が予め設定された最小値より大きく、かつ、（４）平均輝度信号ａｖｅの振幅が予め設定された最大値より小さく、かつ、ｄｉｆｆ連動最大値より小さい場合、２区間判定部１６６は、第１の判定対象区間と第２の判定対象区間との合併が２区間判定にパスしたことを、制御回路１６７に通知する。
【０１１７】
なお、ここでは、２区間判定に含まれる４つのチェックを全てパスした場合に２区間判定にパスしたと判定するものとしたが、これに限らず、何れか１つのチェックをパスした場合に２区間判定をパスしたと判定するようにしてもよい。
【０１１８】
水平妨害検出回路１６０による２区間判定においては、図３からも分かるように、それまでに設定された区間情報と、新たに入力された１画素分の輝度値ｎi、および、ｂiを参照することによって、ｉ−１番目からｉ-８番目の画素がドット妨害発生区間に含まれているか否かが判定される。このため、水平妨害検出回路１６０は、９画素分の検出結果を保持する不図示の検出結果列メモリを備えており、ｉ番目の画素の輝度値ｎi、および、ｂiが入力された時点で、ｉ−９番目の画素がドット妨害成分に含まれているか否かを示す検出結果を、垂直妨害検出回路１７０に送出する。
【０１１９】
なお、水平妨害検出回路１６０が、ｉ−１番目からｉ−８番目までの８画素分の判定をおこなうのは、本実施形態では、ドット妨害成分の水平方向周期として７．７１画素が想定されているためである。したがって、ある画素の輝度値が入力されてから、その画素に対する検出結果が出力されるまでの遅延時間（画素クロック）は、ドット妨害成分の水平方向周期を切り上げた画素数に１を加えた値になる。
【０１２０】
次に、制御回路１６７が上記各部を制御する方法について、図１１に基づいて説明する。
【０１２１】
図１１は、制御回路１６７が上記各部を制御するために実行する処理の流れを示したフローチャートである。制御回路１６７は、新たな輝度値ｎiおよびｂiが入力されるたびに、図１１に示した処理を１回実行する。
【０１２２】
図１１に示した処理において、制御変数ｓｅｃおよびｎｕｍが用いられる。制御変数ｓｅｃは、処理中の画素が、判定対象区間に含まれているかを示すフラグであり、含まれているときは１に、含まれていないときは０に設定される。また、制御変数ｎｕｍは、現在までに成立している連続した判定対象区間に、処理中の判定対象区間を加えた判定対象区間群の区間数を表す。
【０１２３】
新たな輝度値ｎiおよびｂiが入力されると、制御回路１６７は、まず、その時点でドット妨害発生区間に含まれるか否かが確定されているｉ−９番目の画素に対する検出結果を検出結果列メモリから読み出し、読み出した検出結果を垂直妨害検出回路１７０に出力する。そして、検出結果列メモリに格納されている検出結果を１画素分ずつシフトし、ｉ番目の画素に対する検出結果を格納する領域を確保する（Ｓ１０１）。
【０１２４】
続いて、制御回路１６７は、交点検出部１６１からの通知を待ち受ける（Ｓ１０２）。処理中の画素が判定対象区間の始点画素であることを示す通知がなかった場合（Ｓ１０２：Ｎｏ）、制御回路１６７は、処理中の画素が判定対象区間内の画素であるか、すなわち、制御変数ｓｅｃの値が１に設定されているかを判定する（Ｓ１１１）。処理中の画素が判定対象区間内の画素であった場合（Ｓ１１１：Ｙｅｓ）、制御回路１６７は、区間情報の更新を区間情報設定部１６３に指示する（Ｓ１１２）。一方、処理中の画素が判定対象区間内の画素でなかった場合（Ｓ１１１：Ｎｏ）、制御回路１６７は、何も行わずに処理中の画素に対する処理を終了する。
【０１２５】
一方、処理中の画素が判定対象区間の始点画素であることを示す通知を受けると（Ｓ１０２：Ｙｅｓ）、制御回路１６７は、交点判定部１６２からの通知を待ち受ける（Ｓ１０３）。処理中の画素が判定対象区間の始点画素として適切であることを示す通知がなかった場合（Ｓ１０３：Ｎｏ）、制御回路１６７は、処理中の画素（交点の直後の画素）がドット妨害発生区間の始点画素として適切ではないと判断して、その交点の両側の判定対象区間を無効にするために、制御変数ｓｅｃの値を０に、また、制御変数ｎｕｍの値を０に設定して（Ｓ１１３）、処理中の画素に対する処理を終了する。
【０１２６】
一方、処理中の画素が判定対象区間の始点画素として適切であることを示す通知を受けると（Ｓ１０３：Ｙｅｓ）、制御回路１６７は、制御変数ｓｅｃの値を参照し、直前に処理した画素が判定対象区間内の画素であるかを判定する（Ｓ１０４）。直前に処理した画素が判定対象区間外の画素である場合（Ｓ１０４：Ｎｏ）、制御回路１６７は、区間情報テーブル２０１の初期化および各区間情報の設定を、区間情報設定部１６３に指示するとともに、制御変数ｓｅｃの値を１に設定し、制御変数ｎｕｍの値を１増加させる（Ｓ１１０）。
【０１２７】
一方、直前に処理した画素が判定対象区間内の画素である場合（Ｓ１０４：Ｙｅｓ）、１区間判定の実行を１区間判定部１６５に指示する。この指示を受けた１区間判定部１６５は、区間情報テーブル２０１に格納されている区間情報に基づいて、直前に処理した画素を終点画素として含む第１の判定対象区間に対する１区間判定を実行し、判定結果を制御回路１６７に返す。
【０１２８】
１区間判定部１６５から返された判定結果が、１区間判定をパスしなかったことを示すものである場合（Ｓ１０５：Ｎｏ）、制御回路１６７は、制御変数ｎｕｍを０に設定することにより、上記第１の判定対象区間を無効にする（Ｓ１１４）。
【０１２９】
一方、１区間判定部１６５から返された判定結果が、１区間判定をパスしたことを示すものである場合（Ｓ１０５：Ｙｅｓ）、制御回路１６７は、上記第１の判定対象区間、および、上記第１の判定対象区間に先行する第２の判定対象区間が１区間判定をパスしているかを、制御変数ｎｕｍの値に基づいて判定する（Ｓ１０６）。ｎｕｍが１または０である場合（Ｓ１０６：Ｎｏ）、制御回路１６７は、現区間用の区間情報テーブル２０１に格納されている上記第１の判定対象区間の区間情報を、前区間用の区間情報テーブル２０２にシフトすることを、区間情報設定部１６３に指示する（Ｓ１０９）。区間情報のシフトが完了すると、制御回路１６７は、現区間用の区間情報テーブル２０１の初期化および各区間情報の設定を区間情報設定部１６３に指示するとともに、制御変数ｓｅｃの値を１に設定し、制御変数ｎｕｍの値を１増加させる（Ｓ１１０）。
【０１３０】
一方、ｎｕｍが２以上であった場合（Ｓ１０６：Ｙｅｓ）、制御回路１６７は、２区間判定の実行を２区間判定部１６６に指示する。この指示を受けた２区間判定部１６６は、区間情報テーブル２０１、２０２、および、２０３に格納されている区間情報に基づいて、上記第１の判定対象区間、および、上記第２の判定対象区間に対する２区間判定を実行し、判定結果を制御回路１６７に返す。
【０１３１】
２区間判定部１６６から返された判定結果が、２区間判定をパスしなかったことを示すものである場合（Ｓ１０７：Ｎｏ）、制御回路１６７は、制御変数ｎｕｍを１に設定することにより、第１の判定対象区間を１区間判定のみ成立した区間とする。（Ｓ１１５）。
【０１３２】
一方、２区間判定部１６６から返された判定結果が、２区間判定をパスしたことを示すものである場合（Ｓ１０７：Ｙｅｓ）、制御回路１６７は、第１の判定対象区間および第2の判定対象区間はドット妨害発生区間であると判断し、これらの区間に含まれる画素がドット妨害発生区間に含まれることを示す検出結果を、検出結果列メモリに書き込む（Ｓ１０８）。
【０１３３】
続けて、制御回路１６７は、区間情報テーブル２０２に格納されている第２の判定対象区間の区間情報を区間情報テーブル２０３にシフトし、区間テーブル２０１に格納されている第１の判定対象区間の区間情報を区間情報テーブル２０２にシフトすることを、区間情報設定部１６３に指示する（Ｓ１０９）。区間情報のシフトが完了すると、制御回路１６７は、現区間用の区間情報テーブル２０１の初期化および各区間情報の設定を区間情報設定部１６３に指示するとともに、制御変数ｓｅｃの値を１に設定し、制御変数ｎｕｍの値を１増加させる（Ｓ１１０）。
【０１３４】
（垂直妨害検出回路）
図１に示した垂直妨害検出回路１７０の詳細について、図１２を参照して説明する。
【０１３５】
図１２は、垂直妨害検出回路１７０の構成を示すブロック図である。
【０１３６】
垂直妨害検出回路１７０は、図１２に示したように、判定対象区間を特定する交点検出部１７１および交点判定部１７２と、各判定対象区間の区間情報を設定する区間情報設定部１７３と、１判定対象区間の輝度信号の変動がドット妨害成分によるものか否かを、当該１判定対象区間の区間情報に基づいて判定する１区間判定部１７５と、連続する２判定対象区間の輝度信号の変動がドット妨害成分によるものか否かを、当該２判定対象区間の区間情報に基づいて判定する２区間判定部１７６と、上記各部を制御する制御回路１７７とを含んで構成されている。これらの構成については、図４に示した水平妨害検出回路１６０と同様である。
【０１３７】
垂直妨害検出回路１７０は更に、各画素列の区間情報を保持する区間情報ラインメモリ１７４と、区間情報ラインメモリ１７４に対する区間情報の読み書きを制御するメモリ制御部１７８と、各画素列の検出結果列、および、各画素列の制御変数（ｓｅｃ、および、ｎｕｍ）を保持する制御情報ラインメモリ１７９と、を備えている。これらは、走査ラインと垂直な方向（画素列方向）に対する輝度信号の変動からドット妨害発生区間を特定するための構成である。
【０１３８】
交点検出部１７１、交点判定部１７２、および、区間情報設定部１７３には、それぞれ、２ライン分の輝度信号、すなわち、現フィールドの各ラインの輝度信号ｎｏｗi、前々フィールドの同ラインの輝度信号ｂｅｆi、現フィールドの前ラインの輝度信号ｎｏｗi-1、および、前々フィールドの前ラインの輝度信号ｂｅｆi-1が輝度信号用ラインメモリ１１０および１２０から入力される。
【０１３９】
交点検出部１７１は、輝度信号ｎｏｗiと輝度信号ｂｅｆiの差分値の符号と、輝度信号ｎｏｗi-1と輝度信号ｂｅｆi-1の差分値の符号とを画素列毎に比較し、画素列毎の比較結果を、逐次、制御回路１７７に通知する。交点判定部１７２は、現フィールドの輝度値の変化量の絶対値｜ｎｏｗi−ｎｏｗi-1｜と、前々フィールドの輝度値の変化量の絶対値｜ｂｅｆi−ｂｅｆi-1｜とを、それぞれ、画素列毎に予め設定された閾値と比較し、画素列毎の比較結果を、逐次、制御回路１７７に通知する。
【０１４０】
制御回路１７７は、交点検出部１７１および交点判定部１７２からの通知に基づいて、処理中のラインが判定対象区間の始点ラインに該当するかを画素列毎に判断し、始点ラインに該当する画素列があれば、当該画素列について判定対象区間が開始されたことを区間情報設定部１７３、１区間判定部１７５、および、２区間判定部１７６に通知する。
【０１４１】
区間情報設定部１７３は、輝度信号用ラインメモリ１１０および１２０から入力される輝度信号ｎｏｗi、ｂｅｆi、ｎｏｗi-1、および、ｂｅｆi-1と、制御回路１７７から入力される判定対象区間開始通知とに基づいて、各画素列の区間情報を設定する。区間情報設定部１７３が設定する１ライン分の区間情報は、それぞれ各画素列用の区間情報テーブルに格納されて、区間情報ラインメモリ１７４に記憶される。なお、区間情報テーブルに格納される区間情報の種類は、図５に示したものと全く同様であるので、ここでは説明を繰り返さない。
【０１４２】
制御回路１７７は、新たなラインの輝度信号が入力されるたびに、各画素列に対して図１１のフローチャートと同等の処理を実行する。これにより、入力されたラインより所定ラインだけ前に入力されたラインに対する検出結果が確定する。第ｉラインと第ｉ−１ラインの輝度信号ｎｏｗi、ｂｅｆi、ｎｏｗi-1、および、ｂｅｆi-1が垂直妨害検出回路１７０に入力されると、制御回路１７７は、既に結果が確定している第ｉラインより６ライン前の第ｉ−６ラインに対する検出結果を、画素毎に妨害補正回路１５０に送出する。
【０１４３】
なお、第ｉラインと第ｉ−１ラインの輝度信号が垂直妨害検出回路１７０に入力される時点で、制御情報ラインメモリ１７９には、既に、水平方向妨害検出回路１６０から得た第ｉ−５ラインから第ｉ−１ラインに対する５ライン分の検出結果が書き込まれている。垂直妨害検出回路１７０は、これらの検出結果のうち、垂直方向のドット妨害発生区間に含まれていると判定した画素に対する検出結果を、「妨害あり」に書き換える。これにより、制御情報ラインメモリ１７９に格納されているｉ−５ラインから第ｉ−１ラインまでの各画素に対する検出結果が、水平方向のドット妨害発生区間または垂直方向のドット妨害発生区間の少なくとも何れか一方に含まれているとき、「妨害あり」に設定される。垂直妨害検出回路１７０が妨害補正回路１５０に送出する第ｉ−６ラインに対する検出結果は、第ｉラインと第ｉ−１ラインの輝度信号が入力される以前に、以上のようにして決定された検出結果である。
【０１４４】
（付記事項）
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１４５】
例えば、上述した実施形態においては、ＮＴＳＣ映像信号をＹＣ分離して得られた輝度信号の補正に好適な輝度信号補正装置１００について説明したが、他の映像信号をＹＣ分離して得られた輝度信号の補正に好適なように変形した実施形態についても本発明の技術的範囲に含まれる。
【０１４６】
例えば、ＰＡＬ映像信号をＹＣ分離して得られたコンポーネント映像信号においては、現フィールドの輝度信号に含まれるドット妨害成分の位相と、現フィールドより４フィールド前のフィールドの輝度信号に含まれるドット妨害成分の位相とが、１８０°異なる。したがって、上述した実施形態において、前々フィールドの輝度信号を参照する構成を、４フィールド前のフィールドの輝度信号を参照する構成に置き換えることにより、ＰＡＬ映像信号をＹＣ分離して得られた輝度信号の補正に好適な輝度信号補正装置を構成することが可能である。
【０１４７】
また、上述した映像信号補正装置１００は、映像信号を表示する映像信号表示装置、映像信号を記録する映像信号記録装置、映像信号を符号化する映像信号符号化装置、映像信号を復号する映像信号復号装置、映像信号を受信する映像信号受信装置、映像信号を送信する映像信号送信装置など、各種映像信号処理装置に搭載することが可能であり、映像信号補正装置１００を備えたこれらの映像信号処理装置も本発明の技術的範囲に含まれる。
【０１４８】
最後に、輝度信号補正装置１００における各ブロックは、上述したようにハードウェアロジックによって構成してもよいし、次のようにＣＰＵを用いてソフトウェアによって実現してもよい。
【０１４９】
すなわち、輝度信号補正装置１００は、各機能を実現する輝度信号補正プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである輝度信号補正プログラムのプログラムコード（実行形式プログラム、中間コードプログラム、ソースプログラム）をコンピュータで読み取り可能に記録した記録媒体を、輝度信号補正装置１００に供給し、そのコンピュータ（またはＣＰＵやＭＰＵ）が記録媒体に記録されているプログラムコードを読み出し実行することによっても、達成可能である。
【０１５０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１５１】
また、輝度信号補正装置１００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１５２】
本発明は、輝度信号を補正する輝度信号補正装置、および、コンポーネント映像信号を処理する映像信号処理装置に対して好適に利用することができる。
【図面の簡単な説明】
【０１５３】
【図１】本発明の実施形態を示すものであり、輝度信号補正回路の概略構成を示した概略構成図である。
【図２】本発明の実施形態を示すものであり、妨害補正回路の構成例を示したブロック図である。
【図３】本発明の実施形態を説明するためのものであり、ドット妨害成分を含む輝度信号を示した波形図である。
【図４】本発明の実施形態を示すものであり、水平妨害検出回路の構成例を示したブロック図である。
【図５】本発明の実施形態を示すものであり、区間情報バッファに記憶されている区間情報テーブルを示す図である。
【図６】本発明の実施形態を説明するためのものであり、ドット妨害成分を含む輝度信号を示した波形図である。
【図７】本発明の実施形態を説明するためのものであり、ドット妨害成分を含む輝度信号を示した波形図である。
【図８】本発明の実施形態を説明するためのものであり、ドット妨害成分を含む輝度信号を示した波形図である。
【図９】本発明の実施形態を示すものであり、１区間判定部が判定する内容を一覧した図である。
【図１０】本発明の実施形態を示すものであり、２区間判定部が判定する内容を一覧した図である。
【図１１】本発明の実施形態を示すものであり、制御回路が水平妨害検出回路を制御するために実行する処理の流れを示したフローチャートである。
【図１２】本発明の実施形態を示すものであり、垂直妨害検出回路の構成例を示したブロック図である。
【符号の説明】
【０１５４】
１００          輝度信号補正回路（輝度信号補正装置）
１１０、１２０  輝度信号用ラインメモリ
１３０          色差信号用ラインメモリ
１４０          ディレイ回路
１５０          妨害補正回路（補正手段）
１６０          水平妨害検出回路
１６１              交点検出部
１６２              交点判定部
１６３              区間情報設定部
１６４              区間情報バッファ
１６５              １区間判定部（判定手段）
１６６              ２区間判定部（判定手段）
１６７              制御回路（特定手段）
１７０          垂直妨害検出回路
１７１              交点検出部
１７２              交点判定部
１７３              区間情報設定部
１７４              区間情報ラインメモリ
１７５              １区間判定部（判定手段）
１７６              ２区間判定部（判定手段）
１７７              制御回路（特定手段）
１７８              メモリ制御部
１７９              制御情報ラインメモリ
【図１】
2008294773.tif 000003
【図２】
2008294773.tif 000004
【図３】
2008294773.tif 000005
【図４】
2008294773.tif 000006
【図５】
2008294773.tif 000007
【図６】
2008294773.tif 000008
【図７】
2008294773.tif 000009
【図８】
2008294773.tif 000010
【図９】
2008294773.tif 000011
【図１０】
2008294773.tif 000012
【図１１】
2008294773.tif 000013
【図１２】
2008294773.tif 000014